(57)【要約】【課題】  本発明は、老人にも、操作がわかり易く、薬を飲み忘れたり、重複して飲んだりしないような装置を提供することにある。【解決手段】  薬が、朝、昼、夜、就寝前とかで、見た目に、一目瞭然に分りやすく分類列ケースに分類されており、例えば朝は８時と初期設定されている、しかし、初期設定を変更できる人には、設定変更が可能になっている、時間を経過しても、それらの分類列ケースが設定時刻に開放されない場合は、例えば「お薬の時間ですよ」と繰り返し知らせてくれることを特徴とする、薬の飲み忘れと飲みすぎ防止用装置。パーソナルコンピューターと接続され、自分の好きな女優さんなり、の画像付きで、「お薬の時間ですよ」と言ってくれる装置。ＩＣタグに書き込まれた薬に関する情報取得や、主治医や薬局との情報通信もでき、非常時には、救急車を呼べる機能も搭載している装置。【選択図】  図２
2006042910.tif 000002
【特許請求の範囲】
【請求項１】
薬が、朝、昼、夜、就寝前とかで、見た目に、一目瞭然に分りやすく分類列ケースに分類されており、朝は８時と初期設定されている、昼は、１２時と初期設定されている、夕は、１８時と初期設定されている、寝る前は、２２時と初期設定されている、しかし、初期設定を変更できる人には、設定変更が可能になっている、また、さらに、特殊な設定時間帯に飲む必要のある人のために、予備の分類列ケースがもうけられており、時間を経過しても、それらの分類列ケースが設定時刻に開放されない場合は、選択可能な間隔で、例えば「お薬の時間ですよ」と繰り返し知らせてくれることを特徴とする、薬の飲み忘れと飲みすぎ防止用装置。
【請求項２】
薬の分類ごとに、薬局側でＩＣタグが付されており、「薬の飲み忘れと飲みすぎ防止用装置」側でそのＩＣタグの情報を認識し、適切な分類列に収容されないとアラームを出し、かつ、例えば「お薬の時間ですよ」というお知らせ案内時刻が、自動的に設定されることを特徴とする、請求項１記載の薬の飲み忘れと飲みすぎ防止用装置。
【請求項３】
パーソナルコンピューターと接続され、例えば、自分のすでに亡き配偶者なり、自分の好きな女優さんなり、の画像付きで、さらには、画像を自由に選択できるようにして、例えば「お薬の時間ですよ」と言ってくれる、もちろん、この音は、好みの声質、音量に設定でき、あるいは好みの音楽にも設定できることを特徴とする、請求項１または請求項２記載の薬の飲み忘れと飲みすぎ防止用装置。
【請求項４】
ＩＣタグに書き込まれた薬に関する情報取得や、主治医や薬局との情報通信もでき、非常時には、救急車を呼べる機能も搭載していることを特徴とする、請求項３記載の薬の飲み忘れと飲みすぎ防止用装置。
【発明の詳細な説明】
【技術分野】
【０００１】
本発明は、薬の飲み忘れと飲みすぎ防止用装置に関する。
【背景技術】
【０００２】
現在、本発明者は、鬱病の投薬治療を１０年以上に亘り継続中である。薬は、朝、昼、夜（いずれも食後）に飲む薬２種類ずつと、就寝前に飲む薬３種類が基本であり、症状により、薬は、適宜、医師の判断で追加される。５５歳の私は、今までは、妻が忘れないように用意して、薬を飲むように合図してくれた。会社に出かける場合は、小袋に入れてもたせてくれた、しかし、時々、会社で仕事に夢中になり、飲むのを忘れることもある。私の仕事は、特許の明細書を書くのが仕事でもあり、趣味でもあるので、一旦書き出すと、没頭して忘れるのである。家でも、明細書を書くことが多いので、やはり没頭して、薬を飲むことは忘れる。食事をするのを忘れるくらいだから、薬を飲むことを忘れるのは当然である。ところで、さらに都合が悪いことに、妻が腰と股関節の手術の為に、長期に入院してしまった。こうなると、５０％以上、薬を飲むのを忘れる。それに、歳をとってきたので、飲んだかどうかすぐ忘れてしまい。これまた、困ったことである。これは、一人暮らしの老人、多分彼らは、没頭して特許の明細書は書くことはしていないと推察するが、おそらく同様の問題を抱えていると思われる。
【０００３】
薬の出る量と種類は、結構多い、ある人は、驚く程でかい袋を抱えて、薬局を出ていく。彼らは、きちんと飲んでいるのだろうか。いくら、薬剤師が渡すとき熱心に説明しても、薬局を出る時には、すっかり忘れている老人もかなりいるものと推察される。
【０００４】
老人は、ややこしい装置は、使えない。よって、私がこれから、提案する「薬の飲み忘れと飲みすぎ防止用装置」はシンプルでなくてはならない。しかし、シンプルすぎると、薬を飲む側の記憶に任される部分が多くなり、結局飲み忘れる装置になってしまう。ただ、パーソナルコンピューター（パソコン）が使えないと動かないような装置だけでは、多くの老人には、使いものにならない。ハイテクを組み込みなおかつ、シンプルで、老人にとっても操作が容易なものである必要がある。
【０００５】
先行技術について、紹介すると以下のようなものがある。
特開２００１−１９８１９５号公報（特許文献１）には、
仕切壁で区分して患者が服用する１日分ごと朝、昼、夜就寝前に指定時刻に仕切壁で区分した薬を収納する複数個の収納室を有し、各収納室ごとに対応して日付表示がなされた１個または複数の透光性材で形成された薬収納ケースと、薬箱本体に取り付けられ、上記薬収納ケースを１個または複数個を個別に着脱可能に装着して上記薬収納ケースを昇降させる昇降手段と、上記薬収納ケースの上記各収納室ごとに対応して装着されてあらかじめ設定された服用時刻が到達するたびに上記収納室ごとの薬の服用時刻を表示する表示手段と、上記薬箱本体の所定部位に装着され、あらかじめ設定された服用時刻が到達するたびに上記収納室ごとの薬の服用時刻を音声で報知する報知手段と、上記薬箱本体の所定部位に装着され、所定年数分、曜日および１日２４時間の時間設定とその表示可能の時計手段と、上記薬箱本体の所定部位に装着され、上記所定の収納室に対応する上記表示手段と上記報知手段を２４時間内の上記服用時刻ごとに駆動する時刻を設定する複数個のタイマと、を備えることを特徴とする呑み忘れ防止ドラッグ機能付き医療薬箱。上記薬箱本体は、上記薬収納ケースの上面全体を覆うカバーと、患者の挙動に伴って発生する音を検出する音センサと、上記音センサが上記音を検出すると光を発生して上記カバーに乱反射させて患者に上記薬箱本体の所在を知らせる発光素子と、を備えることを特徴とする呑み忘れ防止ドラッグ機能付き医療薬箱。上記薬収納ケースは、上記昇降手段から取り外して蓋を取り付けて上記収納室に残存している薬をこの蓋と上記仕切壁とにより隣接する上記収納室への移動を抑制して携行可能状態とすることを特徴とする呑み忘れ防止ドラッグ機能付き医療薬箱。上記昇降手段は、上記薬収納ケースを個別に着脱可能に載置する受け皿を備えることを特徴とする呑み忘れ防止ドラッグ機能付き医療薬箱。
上記表示手段は、上記薬収納ケースの上記各収納室ごとに対応する部位の上記受け皿に装着されることを特徴とする呑み忘れ防止ドラッグ機能付き医療薬箱。上記表示手段は、発光ダイオードであることを特徴とする呑み忘れ防止ドラッグ機能付き医療薬箱。上記タイマの一つは、通院予定日の設定に充当されることを特徴とする呑み忘れ防止ドラッグ機能付き医療薬箱が開示されている。
【０００６】
特開２００３−３１０７１５号公報（特許文献２）には、薬入れを備えた薬箱と、電子制御装置と、前記薬入れの開閉を検出する薬入れ開閉センサとで構成され、前記電子制御装置は前記薬入れ開閉センサからの開信号若しくは閉信号に基づいて現在時刻を服薬確認時刻としてメモリに記憶させること、及び前記薬入れ開閉センサからの開信号が服薬禁止時間内に入力されたときは二度飲みアラームを発生させることを特徴とする服薬管理支援装置。薬入れと薬殻入れとを備えた薬箱と、電子制御装置と、前記薬入れの開閉を検出する薬入れ開閉センサと、前記薬殻入れの開閉を検出する薬殻入れ開閉センサとで構成され、前記電子制御装置は前記薬入れ開閉センサからの開信号若しくは閉信号と前記薬殻入れ開閉センサからの開信号若しくは閉信号とに基づいて現在時刻を服薬確認時刻としてメモリに記憶させること、及び、前記薬入れ開閉センサからの開信号が服薬禁止時間内に入力されたときは二度飲みアラームを発生させることを特徴とする服薬管理支援装置。薬入れを備えた薬箱と、電子制御装置と、前記薬入れの開閉を検出する薬入れ開閉センサとで構成され、前記電子制御装置は前記薬入れ開閉センサからの開信号若しくは閉信号に基づいて現在時刻を服薬確認時刻としてメモリに記憶させること、及び、現在時刻が服薬時間帯の終了時刻に到達したときに当該服薬時間帯内に記憶されるべき服薬確認時刻が前記メモリに存在しない場合には飲み忘れアラームを発生させることを特徴とする服薬管理支援装置。
薬入れと薬殻入れとを備えた薬箱と、電子制御装置と、前記薬入れの開閉を検出する薬入れ開閉センサと、前記薬殻入れの開閉を検出する薬殻入れ開閉センサとで構成され、前記電子制御装置は前記薬入れ開閉センサからの開信号若しくは閉信号と前記薬殻入れ開閉センサからの開信号若しくは閉信号とに基づいて現在時刻を服薬確認時刻としてメモリに記憶させること、及び、現在時刻が服薬時間帯の終了時刻に到達したときに当該服薬時間帯内に記憶されるべき服薬確認時刻が前記メモリに存在しない場合には飲み忘れアラームを発生させることを特徴とする服薬管理支援装置が開示されている。
【０００７】
特開２００３−１８０７９８号公報（特許文献３）には、その前面には引き出し用取っ手部と、内部には日付数字カード挿入部と、移動可能な仕切り板とを設けた複数個の薬収納ケースと、書類収納ケースとを個別に脱着可能に装着した薬箱本体枠と、複数枚の日付数字カードと、上記薬箱本体上辺枠には、週間曜日名を記入したことを特徴とする薬の飲み忘れ、飲み過ぎ防止薬箱。その前面には引き出し用取っ手部と、その内部には移動可能な仕切り板を設けた複数個の薬収納ケースと、書類収納ケースとを個別に脱着可能に装着した薬箱本体枠と、複数枚の日付数字ラベルと、上記薬箱本体上辺枠には、週間曜日名を記入したことを特徴とする薬の飲み忘れ、飲み過ぎ防止薬箱。その前面には引き出し用取っ手部と、日付数字が予め印刷されている内部に移動可能な仕切り板を設けた複数個の薬収納ケースと、書類収納ケースとを個別に脱着可能に装着した薬箱本体枠と、上記薬箱本体上辺枠には、週間曜日名を記入したことを特徴とする薬の飲み忘れ、飲み過ぎ防止薬箱が開示されている。
【０００８】
特開２００４−４８９号公報（特許文献４）には、薬の飲み忘れや勘違いによる二重服用等を防止するようにした薬供給装置であって、一定期間に服用する薬を保持する薬保持体が複数配列され、当日分に服用すべき薬保持体だけを一日一回順次取出し可能な開放部に移動させ、その他の薬保持体は目に触れない箇所に隠すようにしたことを特徴とする薬供給装置。前記薬保持体は、垂直軸回りに回転自在な回転板またはチェーンに取付けられ、この回転板またはチェーンが一日一回所定角度回転して所定箇所の薬保持体を開放部に臨ませることを特徴とする薬供給装置。前記薬保持体は、垂直軸回りに独自に回転可能な複数の保持板によって構成され、所定箇所の保持板が一日一回所定箇所に向けて回転移動することを特徴とする薬供給装置。前記薬保持体には、複数のポケットが形成されることを特徴とする薬供給装置が開示されている。
【特許文献１】特開２００１−１９８１９５号公報
【特許文献２】特開２００３−３１０７１５号公報
【特許文献３】特開２００３−１８０７９８号公報
【特許文献４】特開２００４−４８９号公報
【０００９】
これらの、先行技術は、いずれも、メカニズム的にやや複雑すぎる、あるいは、シンプルすぎて、結局本人の記憶に頼る部分があり、忘れ防止、重複飲みを防止するには、実用性の点について、理想的なものと言えないと思われる。シンプルで使いやすく、なお、飲み忘れないこと、これは、大変難しい課題である。特に、発明者側からすると、発明がシンプルだと、「容易である」との特許庁の審査官殿の拒絶理由通知書を戴き、反論の余地がなくなる。しかし、複雑で使いにくいものを、特許成立させても、意味がない。ただ、特許証を戴いて、年金を払うだけなら、それは日本国にお金を献上させて戴くだけのことになる。
【００１０】
したがって、薬の飲み忘れと飲みすぎ防止用装置は、以下のような要件を満たす必要がある。
１．使いやすい、わかりやすい。
２．しかし、やはり、何らかのハイテクによって、サポートして、中途半端な装置とならず、飲み忘れない、重複して飲まないという目的を確実に達成する。
３．装置に発展性があり、パソコンがわからなくても、覚えたら、パソコンと接続して、多機能型へと展開できるようにあらかじめ製作したものを提供する。
これらの要件をいかに具現化するかが、知恵の出しどころである。理想を言えば、その装置は、低価格のものが望ましいが、これは、本発明者が提案する装置が多数売れて、価格が下がることを期待したい。
【発明の開示】
【発明が解決しようとする課題】
【００１１】
本発明は、老人や、私のような特許出願書類を書くのが趣味で薬をよく飲み忘れる人にも、操作がわかり易く、薬を飲み忘れたり、重複して飲んだりしないような装置を提供することにある。
【課題を解決するための手段】
【００１２】
本発明は、下記の構成要素を要旨とする、「薬の飲み忘れと飲みすぎ防止用装置」である。
（１）薬を種類別に収容するのに充分な容積を有し、自分の飲むべき薬が、朝、昼、夜、就寝前とかで、見た目に、一目瞭然に分りやすく分類列が設けられている装置、
（２）朝は８時と初期設定されている、昼は、１２時と初期設定されている、夕は、１８時と初期設定されている、寝る前は、２２時と初期設定されている。しかし、初期設定を変更できる人には、それが可能になっている装置、また、さらに、特殊な設定時間帯に飲む必要のある人のために、予備の分類列がもうけられている装置、
（３）時間を経過しても、分類列が開放されない場合は、設定しておいた時間間隔で、例えば「お薬の時間ですよ」と繰り返し知らせてくれる装置、
（４）薬の分類ごとに、薬局側でＩＣタグが付されており、「薬の飲み忘れと飲みすぎ防止用装置」側でそのＩＣタグの情報を認識し、適切な分類列に収容されないとアラームを出し、ＩＣタグの薬を飲むべき時刻情報を、装置側に取得する手段を有し、「お薬の時間ですよ」というお知ら案内時刻が、自動的に設定される装置、
（５）パソコンを接続され、自分のすでに亡き配偶者なり、自分の好きな女優さんなりの画像付き、さらには、画像を選択できるようにして、繰り返し適当な時間間隔で、「お薬の時間ですよ」と言ってくれる装置、もちろん、この声は、好みの声質、音量に設定できる、
（６）ＩＣタグの薬に関する情報を取得したり、主治医や薬局と情報通信でき、非常時には、救急車を呼べる機能も搭載している装置。
【発明の効果】
【００１３】
本発明によれば、操作が容易で、使って楽しく、愛着が出て、飲み忘れ、重複による飲みすぎが防止できる装置を提供できる。また、薬情報の取得や、主治医や薬剤師との通信もでき、さらに、自分の好きなあるいは好きであった人が、「お薬の時間ですよ」と声をかけてくれるので、一人暮らしの老人生活や妻が入院中の生活もいくらか楽しくなる。
【発明を実施するための最良の形態】
【００１４】
本発明の最良の形態は以下のすべてを備えている、「薬の飲み忘れと飲みすぎ防止用装置」である。
（１）薬を種類別に収容するのに充分な容積を有し、自分の飲むべき薬が、朝、昼、夜、就寝前とかで、見た目に、一目瞭然に分りやすく分類ケースが設けられている、
（２）朝は８時と初期設定されている、昼は、１２時と初期設定されている、夕は、１８時と初期設定されている、寝る前は、２２時と初期設定されている。しかし、初期設定を変更できる人には、それが可能になっている、また、さらに、特殊な設定時間帯に飲む必要のある人のために、予備の分類列ケースが設けられている、
（３）時間を経過しても、分類列が開放されない場合は、あらかじめ設定しておいた時間間隔で、例えば「お薬の時間ですよ」と繰り返し知らせてくれる、飲んだばかりで、また飲もうとしたら、「もう、飲みましたよ」と知らせてくれる装置、
（４）薬の分類ごとに、薬局側でＩＣタグが付されており、「薬の飲み忘れと飲みすぎ防止用装置」側にそのＩＣタグの情報を認識し、適切な分類列に収容されないとアラームを出し、ＩＣタグに薬を飲むべき時間が書き込まれていれば、装置側でその情報を取得する手段を有し、「お薬の時間ですよ」というお知ら案内が、自動的に設定される、
（５）パソコン接続され、必要とされるソフトをインストールした後は、自分のすでに亡き配偶者なり、自分の好きな女優さんなり、の画像付き、さらには、画像を選択できるようにして、「お薬の時間ですよ」と言ってくれる、もちろん、この音は、好みの声質、音量に、また好みにより、音楽にも設定できる、
（６）通信機能も搭載して、主治医や薬局と情報通信できるようにしてあり、ＩＣタグから、薬に関する情報等が入手でき、非常時には、救急車を呼べる機能も搭載されている。
【実施例】
【００１５】
今の高度技術の時代において、細部的にどういう技術で本発明の装置の各部品をどう製作し、電気的にどうのように装置として完成させるかについては、通常の電気および機械の技術者が協力すれば、容易なことと推察するので、具体的な形として、どのようなものを
意図したかを実施例によって説明する。なお、本発明は、本発明者が提示した実施例に限定されるものではない。
【００１６】
図１は、基本タイプであり、１ａ、１ｂの薬の分類列ケースと、２の箱体からなる。図には表現されていないが、もちろん、薬を飲む合図を出す、スピーカー、音量調製や合図時間設定用の操作部は、前面あるいは側面に装備されており、それらを適切に動かすプログラムやそれを書き込むメモリは、図示していないが、内蔵されている。つまり、図２に示すものにするには、パソコンを購入すれば、図１を買い直さなくてシステム化できる発展型の、薬の飲み忘れと飲みすぎ防止用装置として、あらかじめ、提供する。
【００１７】
図２は、システムテイプであり、薬袋に、７．ＩＣタグが、付されており、３．ＩＣタグ情報読取部により読み取られると、その類の薬の飲むべき合図時間等は、自動的にパソコンのメモリに記憶される。また、４．パソコンと、２．箱体は、７．の接続ケーブルによって、パソコンに繋がっており、例えば「お薬の時間ですよ」と知らせる、画像、音量、音質は変更可能となっている。さらに、パソコンは、病院端末、薬局端末、消防署と５．インターネットで結ばれており、薬を飲んでいる人は、必要とする情報を入手できる。好む人によっては、パソコンはＤＶＤ再生装置内臓型、テレビチュナー内臓型の選択もできる。これらのものは、現在のパソコンで市販されているし、上述のことを可能にするソフトウェアを提供することは、容易であると考えられる。そうしてみると、本発明の進歩性はどこにあるのか。パソコンを使えない人には、図１のタイプ、パソコンを使える人には、図２のシステムタイプを用意するものの、メーカー側は、図１のタイプのものを図２のシステムタイプのものに展開できるように、あらかじめ製作しておき、パソコンを使用できるようになった老人は、４．パソコンと専用ソフトウェアと、６．ケーブルを購入すれば、図１から、図２のシステム化へと、図１の装置を買い直すことなく、発展できるようにした発展型の薬の飲み忘れと飲みすぎ防止用装置を提案したことにあると思われる。
【００１８】
パソコンは、老人にとっては、ボケ防止にも良い。もし、亡き愛妻が、画面から、「お薬の時間ですよ」と、やさしく合図すれば、老人はさらにがんばる意欲もでてこよう。私の場合、妻と女優藤純子（冨司純子）さんが、かわるがわる合図してくれるようにセットしておきたい。なお、パソコンの電源を入れっぱなしにすると、年金生活の老人の生活は苦しくなるので、ソフトを作成する人は、パソコンの電源を、薬を飲む時間がきたら、自動的に入るようにしておいてほしい。もちろん、ノート型パソコンのディスプレイは開けておく。パソコン使用中は、走らせているソフトに割り込んで、合図を送るようにしておいて戴くことはもちろん重要なポイントである。薬袋にＩＣタグを付し、飲む時間ごとに袋に分けるというのは、現状は同じ袋に一日３回とか書いてあるので、薬局側では、かなりの負荷となるので、すぐに実現は困難かもしれないが、ＩＣタグへの情報の書込み方によっては、現状でも、対応可能となろう。ただ、薬局、病院、消防署との情報のリンクの実現には、日本国政府の政策的後押しも必要となろう。
【００１９】
図３は、特開２００３−１８０７９８号に開示されているものであるが、本発明者の経験から、曜日ごとに分ける必要のある人はまれであると推察するが、そのような人には、そのようなタイプのものを用意すればよい。ただ、本発明者の経験から、やや置き場所に困ることが、予想される。通常は、図１のように、予備列ケースを数列設けておけば、充分であると思われる。
【００２０】
図４は、特開２００４−４８９号、図５は、特開２００３−３１０７１５号に開示されているものであるが、本発明者の経験から、シンプル性に欠けており、使いやすいとは思えない。
【００２１】
なお、本発明の装置は、すでにパーソナルコンピューターを持っている人には、図１の基本タイプに近いものを購入し、専用ソフトウェアをインストールすれば、システムタイプのものとすることは、言うまでもなく、可能である。
【図面の簡単な説明】
【００２２】
【図１】基本的な薬の飲み忘れと飲みすぎ防止用装置
【図２】システム化された薬の飲み忘れと飲みすぎ防止用装置
【図３】すでに開示されている薬の飲み忘れ等防止用装置
【図４】すでに開示されている薬の飲み忘れ等防止用装置
【図５】すでに開示されている薬の飲み忘れ等防止用装置
【符号の説明】
【００２３】
１ａ、１ｂ  薬の分類列ケース
２  箱体
３  薬袋のＩＣタグ情報の読取部
４  パーソナルコンピューター
５  インターネット回線
６  パーソナルコンピューターとの接続ケーブル
７  薬袋に付されたＩＣタグ
【図１】
2006042910.tif 000003
【図２】
2006042910.tif 000004
【図３】
2006042910.tif 000005
【図４】
2006042910.tif 000006
【図５】
2006042910.tif 000007